(57)【要約】      （修正有）【課題】マスク等を清潔に保管することができるだけでなく、安定して収納することができると共に、マスク等の出し入れに手間がかからず、出し入れがしやすい収納ケースを提供する。【解決手段】収納ケース１００は、保形性のあるシート状の基材１１０が三つ折りにされることで、第一の折り目１と第二の折り目２との間に形成される背面部３と、第一の折り目１から伸びて、背面部３に重なる表面部４と、第二の折り目２から伸びて、表面部４に重なる蓋部５とから、構成されており、表面部両端辺６と背面部両端辺７とが接着されることで、背面部３と表面部４との間に形成される収納部１５と、表面部４に形成され、収納部１５の開口部１１を開閉自在に覆う蓋部５が係止可能なスリット部８と、を備え、表面部両端辺６が、背面部両端辺７よりも短く形成されると共に、表面部右辺６Ｂが、表面部左辺６Ａよりも短く形成されている。【選択図】図２
0003228792.tif 000002
【実用新案登録請求の範囲】
【請求項１】
保形性のあるシート状の基材が三つ折りにされることで、第一の折り目と第二の折り目との間に形成される背面部と、前記第一の折り目から伸びて、前記背面部に重なる表面部と、前記第二の折り目から伸びて、前記表面部に重なる蓋部とから、構成されており、
前記表面部における前記第一の折り目に隣接する二辺である表面部両端辺と、前記背面部における前記第一の折り目に隣接する二辺である背面部両端辺とが接着されることで、前記背面部と前記表面部との間に形成される収納部と、
前記表面部に形成され、前記収納部の開口部を開閉自在に覆う前記蓋部を係止可能なスリット部と、を備え、
前記表面部両端辺が、前記背面部両端辺よりも短く形成されると共に、前記表面部両端辺のうちの一辺が、前記表面部両端辺の他辺よりも短く形成された、
ことを特徴とする収納ケース。
【請求項２】
前記表面部両端辺のうちの一辺が、前記背面部両端辺の三分の二よりも短く、
前記表面部両端辺の他辺が、前記背面部両端辺の四分の三よりも長い、
ことを特徴とする請求項１に記載された収納ケース。
【請求項３】
前記表面部両端辺のうちの一辺が、前記背面部両端辺の半分よりも短く、
前記表面部両端辺の他辺が、前記背面部両端辺の三分の二よりも長い、
ことを特徴とする請求項１に記載された収納ケース。
【請求項４】
前記背面部において、前記背面部両端辺の一部が外側に向かって張り出して一対の糊代片が形成されており、
前記背面部両端辺に沿って内側に折り曲げられた前記糊代片に、前記表面部両端辺が接着される、
ことを特徴とする請求項１から請求項３のいずれか１項に記載された収納ケース。
【請求項５】
前記表面部において、前記第一の折り目に対向する一辺である表面部開口辺が、前記第一の折り目から離れる方向に向けて張り出す弧状に形成された、
ことを特徴とする請求項１から請求項４のいずれか１項に記載された収納ケース。
【請求項６】
前記表面部開口辺の両端における少なくともいずれか一方において、切り欠きが形成された、
ことを特徴とする請求項５に記載された収納ケース。
【請求項７】
前記基材に抗菌加工が施された、
ことを特徴とする請求項１から請求項６のいずれか１項に記載された収納ケース。
【考案の詳細な説明】
【技術分野】
【０００１】
本考案は、収納ケースに関するものである。
【背景技術】
【０００２】
従来から、マスク、ハンカチ、ティッシュ、チケットまたはこれに類するもの（以下「マスク等」という。）を収納し、携帯して持ち運ぶことができるものとして、布、紙または樹脂製の収納ケースが多く使用されている。特に、近年では、花粉症や感染症対策等において、マスクを使用する頻度が増えており、使用中のマスクを一時保管することができる収納ケース（特許文献１および特許文献２）が提案されている。
【０００３】
特許文献１の収納ケースは、長方形の袋状に形成された布製の収納ケースである。この収納ケースでは、人の口に当たる部分が重ね合わせられて二つ折りにされたマスクが、収納ケース本体の開口部から内部に収納され、この開口部に収納ケース本体と同様の布製の蓋がされることで、マスクを一時的に保管することができる。また、この収納ケースでは、収納されたマスクが収納ケース本体から不用意に出ないように、蓋に面ファスナーまたはボタン等の係止手段が設けられている。
【０００４】
特許文献２の収納ケースは、所定の形状および大きさに切断された樹脂製のシートが、中央で折り曲げられて重ねられ、この折り曲げられた部位に隣接する二辺のうち、少なくとも一辺が溶着されて形成される収納ケースである。この収納ケースでは、縦横の寸法がマスクの寸法よりもそれぞれ１．１〜１．５倍程度に大きく形成されており、溶着されていない二辺または一辺にあたる部位から、収納ケースの内側にマスクを滑り込ませることで、マスクを収納することができる。
【０００５】
また、特許文献２では、他の実施形態として、所定の形状および大きさに切断された樹脂製のシートが、中央で折り曲げられて重ねられ、この折り曲げられた部位に隣接する二辺が溶着されると共に、残りの一辺にスライドレール部材等のファスナーが設けられた収納ケースも提案されている。この収納ケースは、ファスナーが設けられたことで、収納されたマスクが脱落しない構成となっている。
【０００６】
しかし、上記した収納ケースであっても、それぞれにおいて以下の問題点があった。特許文献１の収納ケースでは、収納ケース本体および蓋が布製であり、保形性が低いため、収納ケース本体の内部にマスクの出し入れがしにくいばかりでなく、マスクの出し入れの際に蓋の係止手段を操作しにくいといった問題点があった。また、特許文献２の収納ケースは、樹脂製であり、シートの滑りの良さや保形性があることで、マスクの出し入れがしやすい構成である一方で、収納ケースの少なくとも一辺にあたる部位が常に開放しているため、衛生面に不安が残るばかりでなく、収納されたマスクが収納ケースから不用意に脱落するおそれがあった。さらに、特許文献２における他の実施形態の収納ケースでは、不用意にマスクが脱落することを防ぐことができる一方で、マスクの出し入れの度にファスナーの開閉が必要であり、手間がかかるといった難点があった。
【先行技術文献】
【特許文献】
【０００７】
【特許文献１】登録実用新案第３１５５６６９号公報
【特許文献２】登録実用新案第３１５８３１７号公報
【考案の概要】
【考案が解決しようとする課題】
【０００８】
そこで、本考案は、マスク等を清潔に保管することができるだけでなく、安定して収納することができると共に、マスク等の出し入れに手間がかからず、出し入れがしやすい収納ケースの提供を目的とする。
【課題を解決するための手段】
【０００９】
本考案の収納ケースは、保形性のあるシート状の基材が三つ折りにされることで、第一の折り目と第二の折り目との間に形成される背面部と、前記第一の折り目から伸びて、前記背面部に重なる表面部と、前記第二の折り目から伸びて、前記表面部に重なる蓋部とから、構成されており、前記表面部における前記第一の折り目に隣接する二辺である表面部両端辺と、前記背面部における前記第一の折り目に隣接する二辺である背面部両端辺とが接着されることで、前記背面部と前記表面部との間に形成される収納部と、前記表面部に形成され、前記収納部の開口部を開閉自在に覆う前記蓋部を係止可能なスリット部と、を備え、前記表面部両端辺が、前記背面部両端辺よりも短く形成されると共に、前記表面部両端辺のうちの一辺が、前記表面部両端辺の他辺よりも短く形成された、ことを特徴とする。
【００１０】
本考案の収納ケースは、前記表面部両端辺のうちの一辺が、前記背面部両端辺の三分の二よりも短く、前記表面部両端辺の他辺が、前記背面部両端辺の四分の三よりも長い、ことを特徴とする。
【００１１】
本考案の収納ケースは、前記表面部両端辺のうちの一辺が、前記背面部両端辺の半分よりも短く、前記表面部両端辺の他辺が、前記背面部両端辺の三分の二よりも長い、ことを特徴とする。
【００１２】
本考案の収納ケースは、前記背面部において、前記背面部両端辺の一部が外側に向かって張り出して一対の糊代片が形成されており、前記背面部両端辺に沿って内側に折り曲げられた前記糊代片に、前記表面部両端辺が接着される、ことを特徴とする。
【００１３】
本考案の収納ケースは、前記表面部において、前記第一の折り目に対向する一辺である表面部開口辺が、前記第一の折り目から離れる方向に向けて張り出す弧状に形成された、ことを特徴とする。
【００１４】
本考案の収納ケースは、前記表面部開口辺の両端における少なくともいずれか一方において、切り欠きが形成された、ことを特徴とする。
【００１５】
本考案の収納ケースは、前記基材に抗菌加工が施された、ことを特徴とする。
【考案の効果】
【００１６】
本考案の収納ケースは、保形性のあるシート状の基材が三つ折りにされることで、第一の折り目と第二の折り目との間に形成される背面部と、第一の折り目から伸びて、背面部に重なる表面部と、第二の折り目から伸びて、表面部に重なる蓋部とから、構成されており、表面部における第一の折り目に隣接する二辺である表面部両端辺と、背面部における第一の折り目に隣接する二辺である背面部両端辺とが接着されることで、背面部と表面部との間に形成される収納部と、表面部に形成され、収納部の開口部を開閉自在に覆う蓋部が係止可能なスリット部と、を備え、表面部両端辺が、背面部両端辺よりも短く形成されると共に、表面部両端辺のうちの一辺が、表面部両端辺の他辺よりも短く形成されている。すなわち、本考案の収納ケースでは、互いに重なり合う背面部と表面部との間において、表面部両端辺と背面部両端辺とが接着されて、袋状の収納部が形成されている。また、この収納部の開口する開口部を覆って、開閉自在に、表面部の上から蓋部が重ねられており、この表面部の上に重ねられた蓋部が、表面部のスリット部によって係止可能に構成されている。したがって、本考案の収納ケースでは、収納部にマスク等が収納され、蓋部によって開口部に蓋がされることで、収納部からマスク等が脱落することがなく、安定して、かつ、清潔にマスク等を保管することができる。
【００１７】
また、本考案の収納ケースは、保形性のあるシート状の基材から構成されており、蓋部の開閉の際に、背面部、表面部および蓋部のそれぞれが一定の形状を保つことができるため、蓋部の開閉および収納部へのマスク等の出し入れがしやすい。また、表面部に、蓋部を係止可能なスリット部が形成されており、このスリット部に蓋部を差し込むだけで、容易に蓋部を表面部に係止することができる。したがって、本考案の収納ケースでは、マスク等の出し入れに手間がかからず、収納部へのマスク等の出し入れがしやすくなっている。
【００１８】
さらに、本考案の収納ケースは、表面部両端辺のうちの一辺が、表面部両端辺の他辺よりも短く形成されている。したがって、表面部における第一の折り目に対向して表面部両端辺間にわたる一辺、すなわち、後述する表面部開口辺が、他辺側から一辺側にかけて、傾斜して形成されている。そのため、本考案の収納ケースでは、開口部が開きやすく、収納部へのマスク等の出し入れがしやすくなっている。
【００１９】
本考案の収納ケースは、表面部両端辺のうちの一辺が、背面部両端辺の三分の二よりも短く、表面部両端辺の他辺が、背面部両端辺の四分の三よりも長く、または、表面部両端辺のうちの一辺が、背面部両端辺の半分よりも短く、表面部両端辺の他辺が、背面部両端辺の三分の二よりも長く、形成されている。そのため、表面部における第一の折り目に対向する一辺、すなわち、後述する表面部開口辺が、より角度をつけて傾斜している。したがって、本考案の収納ケースでは、開口部がより開きやすく、収納部へのマスク等の出し入れがしやすく構成されている。
【００２０】
本考案の収納ケースは、背面部において、背面部両端辺の一部が外側に向かって張り出して一対の糊代片が形成されており、背面部両端辺に沿って内側に折り曲げられた糊代片に、表面部両端辺が接着される。すなわち、本考案の収納ケースでは、表面部両端辺と背面部両端辺とが直接接着されるのではなく、糊代片を介して接着されている。これにより、表面部両端辺と背面部両端辺とが直接接着される場合と比較して、表面部両端辺と背面部両端辺とが互いに接着されていた部分についても収納部として活用することができるため、収納部の内部空間をより広く構成することができる。したがって、本考案の収納ケースでは、収納部が広くなることで、より収納部へのマスク等の出し入れがしやすくなる。
【００２１】
本考案の収納ケースは、表面部において、第一の折り目に対向する一辺である表面部開口辺が、第一の折り目から離れる方向に向けて張り出す弧状に形成されている。すなわち、本考案の収納ケースでは、表面部開口辺が、弧を描いて膨らんで形成されているため、収納部に収納されたマスク等が、極力収納部から外部に露出しないように構成されている。したがって、本考案の収納ケースでは、収納部へのマスク等の出し入れのしやすさを維持しつつ、より安定して、かつ、清潔にマスク等を保管することができる。
【００２２】
本考案の収納ケースは、表面部開口辺の両端における少なくともいずれか一方において、切り欠きが形成されている。すなわち、本考案の収納ケースでは、収納部へのマスク等の出し入れの際に、開口部にかかる負荷、ひいては、表面部両端辺と背面部両端辺との接着部にかかる負荷を、分散することができる。したがって、本考案の収納ケースでは、表面部開口辺における切り欠きによって、表面部両端辺と背面部両端辺との接着部、または、背面部、表面部若しくは糊代片自体の破損を防ぐことができる。また、切り欠きが形成されていない場合と比較して、開口部をより大きく開くことができるため、収納部へのマスク等の出し入れがしやすくなっている。
【００２３】
本考案の収納ケースは、基材に抗菌加工が施されている。すなわち、本考案の収納ケースでは、清潔にマスク等を保管することができる。
【図面の簡単な説明】
【００２４】
【図１】本考案の第一実施形態に係る収納ケースの展開図である。
【図２】本考案の第一実施形態に係る収納ケースにおける蓋部を開いた状態を示す斜視図である。
【図３】本考案の第一実施形態に係る収納ケースにおける蓋部を閉じる方向に傾斜させた状態を示す斜視図である。
【図４】本考案の第一実施形態に係る収納ケースにおける蓋部を閉じた状態を示す斜視図である。
【図５】本考案の第二実施形態に係る収納ケースの展開図である。
【図６】本考案の第二実施形態に係る収納ケースにおける蓋部を開いた状態を示す斜視図である。
【図７】本考案の第二実施形態に係る収納ケースにおける蓋部を閉じる方向に傾斜させた状態を示す斜視図である。
【図８】本考案の第二実施形態に係る収納ケースにおける蓋部を閉じた状態を示す斜視図である。
【考案を実施するための形態】
【００２５】
本考案の第一の実施形態として、図２から図４を参照して、収納ケース１００を説明する。なお、図２ないし図４では、図２に示すように、収納ケース１００に対して、蓋部５を開閉させる方向を上下方向、収納ケース１００の幅方向を左右方向、収納ケース１００の厚み方向を前後方向として、説明する。また、図１は、収納ケース１００の展開図であり、この展開図に対して、シート状の基材１１０の長手方向を上下方向とし、この上下方向に垂直に交差する方向を左右方向として、説明する。
【００２６】
収納ケース１００は、図２および図３に示すように、マスク等（図示せず）を、開口部１１から収納部１５に収納し、保管するためのものである。
【００２７】
収納ケース１００は、図１に示すように、一枚のシート状の基材１１０から構成される。収納ケース１００は、このシート状の基材１１０が三つ折りにされることで形成されており、基材１１０の材料には、ポリプロピレン等の合成樹脂、または、石灰石を主原料とした複合材料等が用いられる。なお、収納ケース１００の基材１１０としては、シート状に成形された後においても、一定の保形性がある基材が用いられることが好ましい。
【００２８】
シート状の基材１１０では、ＵＶ印刷（Ｕｌｔｒａ  Ｖｉｏｌｅｔ印刷：紫外線が照射されることで硬化するＵＶインキを用いた印刷）等によって抗菌インキが塗布され、抗菌加工が施されている。この抗菌加工が施されることにより、収納ケース１００は、大腸菌または黄色ブドウ球菌等の細菌の増殖を抑えることができ、マスク等を清潔に保管することができる。なお、抗菌加工は、シート状の基材１１０の表面および裏面の双方に施されることが好ましいが、これに限定されるものではなく、表面または裏面のいずれか一方に施されたものであってもよい。
【００２９】
シート状の基材１１０は、図１に示すように、所定の形状および大きさに切断されている。所定の形状とは、例えば、収納ケース１００における展開図の形状であり、上下方向に縦長の略角丸長方形である。詳説すると、左右方向に横長の略長方形の部位が、上下方向の中央に配置され、この横長の略長方形の部位に対して、上辺から上方に向けて略蒲鉾形の部位が連接され、さらに、下辺から下方に向けて略逆蒲鉾形の部位が連接された形状である。なお、シート状の基材１１０の大きさについては、組み立て後の収納ケース１００の収納部１５に、マスク等を収納することができる大きさであれば任意であり、収納される物のサイズに応じて調整されることが好ましい。
【００３０】
また、上記したシート状の基材１１０における上下方向の中央に配置された横長の略長方形の部位は、収納ケース１００における背面部３である。さらに、この背面部３の下辺が第一の折り目１であり、背面部３の上辺が第二の折り目２である。したがって、背面部３の下辺、すなわち、第一の折り目１から下方の略逆蒲鉾形の部位が、収納ケース１００における表面部４であり、また、背面部３の上辺、すなわち、第二の折り目２から上方の略蒲鉾形の部位が、収納ケース１００における蓋部５である。
【００３１】
なお、第一の折り目１と第二の折り目２とは、シート状の基材１１０が三つ折りにされることで形成されるものである。したがって、実際のシート状の基材１１０には、予め第一の折り目１と第二の折り目２とが形成されている必要はないが、図１では、便宜上、第一の折り目１および第二の折り目２を破線によって図示し、シート状の基材１１０にすでに第一の折り目１と第二の折り目２とが形成されているものとして説明する。
【００３２】
シート状の基材１１０では、図１に示すように、表面部４以外の背面部３および蓋部５は、左右対称に形成されている。一方で、表面部４は、左辺である表面部左辺６Ａが、右辺である表面部右辺６Ｂよりも下方に向けて長く伸びて、下端が左右非対称に形成されている。すなわち、表面部４の下端では、表面部左辺６Ａの下端と表面部右辺６Ｂの下端との間にわたる下辺が、表面部左辺６Ａ側から表面部右辺６Ｂ側にかけて、右上がりに傾斜している。この右上がりに傾斜する下辺が、組み立て後の収納ケース１００における表面部開口辺９であり、この表面部開口辺９は、下方に向けて張り出す弧状に形成されると共に、左右両端において、一対の略逆Ｖ字形の切り欠き１０が形成されている。
【００３３】
また、シート状の基材１１０では、表面部左辺６Ａと表面部右辺６Ｂとからなる表面部両端辺６は、背面部３における左右の両端辺である背面部両端辺７と比較して短く形成されており、さらに、表面部左辺６Ａは、背面部両端辺７の四分の三よりも長く形成されると共に、表面部右辺６Ｂは、背面部両端辺７の三分の二よりも短く形成されている。
【００３４】
さらに、シート状の基材１１０では、第一の折り目１および第二の折り目２のそれぞれの左右両端において、外側から中央に向けて、左辺および右辺のそれぞれが略三角形に小さく切り欠かれることで、一対のノッチ部１２が形成されている。このノッチ部１２が形成されていることで、シート状の基材１１０では、三つ折りにされる際に、第一の折り目１および第二の折り目２のそれぞれの両端において、互いの厚みによる変形を生じさせることなく、背面部３と表面部４とを、また、表面部４と蓋部５とを、互いに重ね合わせることができる。
【００３５】
収納ケース１００は、図４に示すように、上記したシート状の基材１１０が三つ折りにされて、形成される。具体的には、図１および図２に示すように、シート状の基材１１０における表面部４が、第一の折り目１に沿って、手前側に、かつ、上方に向けて折り曲げられて、背面部３の上に重ねられる。また、蓋部５が、図３および図４に示すように、第二の折り目２に沿って、手前側に、かつ、下方に向けて折り曲げられて、背面部３の上に重ねられた表面部４の上に重ねられる。
【００３６】
また、収納ケース１００では、図２および図３に示すように、背面部３と背面部３に重ねられた表面部４とにおいて、表面部両端辺６と背面部両端辺７とが、接着されている。これにより、第一の折り目１と、表面部両端辺６と背面部両端辺７とが接着された接着部１３とによって、互いに重なり合う背面部３と表面部４との間に、袋状の収納部１５が形成される。この袋状の収納部１５の上部は、開口部１１として開放されており、この開口部１１から、マスク等の収納物が収納部１５の内部に収納される。なお、収納ケース１００では、表面部両端辺６と背面部両端辺７とが、超音波等の高周波によるウェルダー加工によって接着されており、このウェルダー加工で接着された跡が接着部１３として図示されている。
【００３７】
さらに、収納ケース１００は、図２、図３および図４に示すように、背面部３に重ねられ、接着部１３で接着された表面部４において、表面部４の上に重ねられる蓋部５を係止することができるスリット部８が、形成されている。具体的には、このスリット部８は、背面部３に重ねられた状態の表面部４における中央下部において、略逆Ｕ字形の切り込みが設けられることで形成されており、この略逆Ｕ字形の切り込みによって形成された係止片８Ａが、蓋部５を係止するフラップとして機能する。すなわち、スリット部８は、図４に示すように、表面部４において、表面部４の上から重ねられた蓋部５の下端中央に対向し、かつ、蓋部５の下端中央を差し込むことができる位置において、設けられる。なお、スリット部８の略逆Ｕ字形の切り込みにおける左右両端は、鉤状に上方に向かって折り返されており、この鉤状の折り返しによって、スリット部８から表面部４に引き裂きや破れ等が発生することを防止している。
【００３８】
また、収納ケース１００では、図３および図４に示すように、蓋部５が、第二の折り目２から折り曲げられ、収納部１５の開口部１１を開閉自在に覆う蓋として構成されている。具体的には、蓋部５は、図２および図３に示すように、第二の折り目２を軸として、開閉可能なフラップ状の蓋として構成されており、閉じられた状態では、図４に示すように、表面部４の上に重ねられ、表面部４のスリット部８に係止される。収納ケース１００は、この蓋部５が設けられることで、収納部１５に収納されたマスク等が開口部１１から脱落することなく、安定してマスク等を収納することができる。
【００３９】
さらに、組み立て後の収納ケース１００では、図２および図３に示すように、開口部１１において、上記した表面部４における表面部開口辺９が、上方に向けて張り出す弧状で、かつ、左上がりに傾斜した形状として現れる。この表面部開口辺９における弧状の形状によって、収納部１５に収納されたマスク等が、収納部１５から外部に極力露出しないように覆われることで、清潔に収納部１５にマスク等を保管することができる。
【００４０】
また、表面部開口辺９の右側が左側と比較して低く、表面部開口辺９が左上がりに傾斜して形成されたことで、収納部１５へのマスク等の出し入れがしやすくなる。特に、右利きの人が収納部１５へマスク等の出し入れをする際には、収納ケース１００を下から左手で支えつつ、表面部開口辺９の右側を手前に、表面部開口辺９の左側を奥にすることで、手前側の表面部開口辺９が低くなり、右手でマスク等の出し入れがしやすいように構成されている。なお、収納ケース１００では、表面部開口辺９の右側が左側と比較して低く形成されたものを示したが、これに限定されるものではなく、表面部開口辺９の左側が右側と比較して低く形成されたものであってもよい。
【００４１】
以上、第一の実施形態である収納ケース１００について説明した。続けて、本考案の第二の実施形態として、図５から図８を参照して、収納ケース２００を説明する。
【００４２】
なお、収納ケース２００の説明では、収納ケース１００と同様の構成である部分については、収納ケース１００と同一の符号を付すと共に、説明は省略し、主に収納ケース１００と異なる構成について説明する。
【００４３】
収納ケース２００は、図６および図７に示すように、マスク等を、開口部１１から収納部１５に収納し、保管するためのものである。
【００４４】
収納ケース２００は、図５に示すように、一枚のシート状の基材２１０から構成される。収納ケース２００は、このシート状の基材２１０が三つ折りにされることで形成されており、基材２１０の材料には、厚紙等の一定の保形性がある紙が用いられる。
【００４５】
このシート状の基材２１０では、シート状の基材１１０と同様に、ＵＶ印刷等による抗菌インキの塗布によって抗菌加工が施されている。したがって、シート状の基材２１０においても、上記した収納ケース１００と同様の効果を得ることができる。また、紙製のシート状の基材２１０では、さらに、ＵＶインキ特有の臭いを緩和することができる。すなわち、紙製の収納ケース２００では、ＵＶインキの塗布後に時間を要することなく、収納されるマスク等への臭い移りを防ぐことができる。
【００４６】
シート状の基材２１０は、図５に示すように、所定の形状および大きさに切断されている。所定の形状とは、例えば、収納ケース２００における展開図の形状である。シート状の基材２１０では、シート状の基材１１０とは異なり、表面部左辺６Ａは、背面部両端辺７の三分の二よりも長く形成されると共に、表面部右辺６Ｂは、背面部両端辺７の半分よりも短く形成されている。
【００４７】
また、シート状の基材２１０では、背面部３の左右の両端において、背面部両端辺７の一部が外側に向かって張り出し、一対の糊代片１４が形成されている。具体的には、糊代片１４は、背面部３の背面部両端辺７を底辺として横たわる略台形として形成されており、上下方向の長さが、表面部両端辺６よりも短く形成されている。
【００４８】
糊代片１４では、左側の糊代片１４である左糊代片１４Ａと、右側の糊代片１４である右糊代片１４Ｂとが、上下方向の長さが異なって形成されている。左糊代片１４Ａは、上下方向の長さが、表面部左辺６Ａの上下方向の長さよりもわずかに短く形成されると共に、右糊代片１４Ｂは、上下方向の長さが、表面部右辺６Ｂの上下方向の長さよりもわずかに短く形成されている。すなわち、糊代片１４が、背面部両端辺７に沿って、図５における手前側に折り曲げられ、背面部３に重ねられた状態で、さらに、その上から表面部４が重ねられた状態においては、糊代片１４は、表面部両端辺６からはみ出すことがなく、表面部両端辺６の裏側に隠れる長さで形成されている。なお、表面部両端辺６の上下方向の長さが変更される場合には、糊代片１４の上下方向の長さも併せて調整されることが好ましい。
【００４９】
また、シート状の基材２１０では、表面部開口辺９の左右両端には、切り欠き１０が形成されておらず、表面部開口辺９は緩やかな弧を描いたまま、両端において、表面部両端辺６に連接されている。
【００５０】
収納ケース２００では、図６および図７に示すように、収納ケース１００とは異なり、背面部３に重ねられた表面部４において、表面部両端辺６と背面部両端辺７とが直接接着されるのではなく、上記した糊代片１４を介して接着されている。具体的には、糊代片１４が、背面部両端辺７に沿って折り曲げられ、背面部３に重ねられた状態で、この折り曲げられた糊代片１４における背面部３に接する面とは反対側の面、すなわち、図５における糊代片１４の裏面に、両面テープ（図示せず）が貼られ、この両面テープによって、糊代片１４と表面部両端辺６とが接着される。したがって、収納ケース２００では、ウェルダー加工による接着部１３が形成されておらず、収納ケース１００と比較して、見た目が良い収納ケースとすることができる。
【００５１】
また、収納ケース２００では、表面部両端辺６と背面部両端辺７とが糊代片１４を介して接着されるため、表面部両端辺６と背面部両端辺７とが直接接着される場合と比較して、接着部１３として接着されていた部分についても収納部１５として活用することができる。したがって、より広い収納部１５の内部空間を構成することができる。なお、収納ケース２００では、糊代片１４と表面部両端辺６とが両面テープで接着された例を示したが、これに限定されるものではなく、糊代片１４と表面部両端辺６との間に糊または接着剤等が塗布されることで、接着されていてもよい。
【００５２】
以上、収納ケース１００および収納ケース２００について説明した。次に、収納ケース１００および収納ケース２００の効果について説明する。
【００５３】
本実施形態の収納ケース１００（２００）は、保形性のあるシート状の基材１１０（２１０）が三つ折りにされることで、第一の折り目１と第二の折り目２との間に形成される背面部３と、第一の折り目１から伸びて、背面部３に重なる表面部４と、第二の折り目２から伸びて、表面部４に重なる蓋部５とから、構成されており、表面部両端辺６と背面部両端辺７とが接着されることで、背面部３と表面部４との間に形成される収納部１５と、表面部４に形成され、収納部１５の開口部１１を開閉自在に覆う蓋部５が係止可能なスリット部８と、を備え、表面部両端辺６が、背面部両端辺７よりも短く形成されると共に、表面部右辺６Ｂが、表面部左辺６Ａよりも短く形成されている。すなわち、収納ケース１００（２００）では、互いに重なり合う背面部３と表面部４との間において、表面部両端辺６と背面部両端辺７とが接着されて、収納部１５が形成されている。また、この収納部１５の開口部１１を覆って、開閉自在に、表面部４の上から蓋部５が重ねられており、この表面部４の上に重ねられた蓋部５が、表面部４のスリット部８によって係止可能に構成されている。したがって、収納ケース１００（２００）では、収納部１５にマスク等が収納され、蓋部５によって開口部１１に蓋がされることで、収納部１５からマスク等が脱落することがなく、安定して、かつ、清潔にマスク等を保管することができる。
【００５４】
また、本実施形態の収納ケース１００（２００）は、保形性のあるシート状の基材１１０（２１０）から構成されており、蓋部５の開閉の際に、背面部３、表面部４および蓋部５のそれぞれが一定の形状を保つことができるため、蓋部５の開閉および収納部１５へのマスク等の出し入れがしやすい。また、収納ケース１００（２００）では、表面部４に、蓋部５を係止可能なスリット部８が形成されており、このスリット部８に蓋部５を差し込むだけで、容易に蓋部５を表面部４に係止することができる。したがって、収納ケース１００（２００）は、マスク等の出し入れに手間がかからず、収納部１５へのマスク等の出し入れがしやすくなっている。
【００５５】
さらに、本実施形態の収納ケース１００（２００）は、表面部右辺６Ｂが、表面部左辺６Ａよりも短く形成されている。したがって、表面部開口辺９が、表面部左辺６Ａ側から表面部右辺６Ｂ側にかけて、傾斜して形成されている。そのため、収納ケース１００（２００）では、表面部４側における開口部１１が開きやすく、収納部１５へのマスク等の出し入れがしやすくなっている。
【００５６】
本実施形態の収納ケース１００は、表面部右辺６Ｂが、背面部両端辺７の三分の二よりも短く、表面部左辺６Ａが、背面部両端辺７の四分の三よりも長く形成されている。そのため、表面部開口辺９が、より角度をつけて傾斜している。したがって、収納ケース１００は、開口部がより開きやすく、収納部１５へのマスク等の出し入れがしやすく構成されている。
【００５７】
また、本実施形態の収納ケース２００は、表面部右辺６Ｂが、背面部両端辺７の半分よりも短く、表面部左辺６Ａが、背面部両端辺７の三分の二よりも長く形成されている。そのため、表面部開口辺９が、収納ケース１００と同様に、より角度をつけて傾斜している。したがって、収納ケース２００についても、開口部がより開きやすく、収納部１５へのマスク等の出し入れがしやすく構成されている。
【００５８】
本実施形態の収納ケース２００は、背面部３において、背面部両端辺７の一部が外側に向かって張り出して一対の糊代片１４が形成されており、背面部両端辺７に沿って内側に折り曲げられた糊代片１４に、表面部両端辺６が接着される。すなわち、収納ケース２００では、表面部両端辺６と背面部両端辺７とが直接接着されるのではなく、糊代片１４を介して接着されている。これにより、表面部両端辺６と背面部両端辺７とが直接接着されている場合と比較して、接着部１３として接着されていた部分についても収納部１５として活用することができるため、より広い収納部１５の内部空間を構成することができる。したがって、収納ケース２００では、収納部１５が広くなることで、より収納部１５へのマスク等の出し入れがしやすくなる。
【００５９】
本実施形態の収納ケース１００（２００）は、表面部４において、表面部開口辺９が、第一の折り目１から離れる方向に向けて張り出す弧状に形成されている。すなわち、収納ケース１００（２００）では、表面部開口辺９が、弧を描いて膨らんで形成されているため、収納部１５に収納されたマスク等が、収納部１５から外部に極力露出しないように構成されている。したがって、収納ケース１００（２００）では、収納部１５へのマスク等の出し入れのしやすさを維持しつつ、より安定して、かつ、清潔にマスク等を保管することができる。
【００６０】
本実施形態の収納ケース１００は、表面部開口辺９の両端において、切り欠き１０が形成されている。すなわち、収納ケース１００では、切り欠き１０が形成されることで、収納部１５へのマスク等の出し入れの際に、開口部１１にかかる負荷、ひいては、表面部両端辺６と背面部両端辺７との接着部１３にかかる負荷を、分散することができる。したがって、表面部両端辺６と背面部両端辺７との接着部１３、または、背面部３、表面部４若しくは糊代片１４自体の破損を防ぐことができる。また、収納ケース１００では、切り欠き１０が形成されていない場合と比較して、開口部１１をより大きく開くことができるため、収納部１５へのマスク等の出し入れがしやすくなる。
【００６１】
本実施形態の収納ケース１００（２００）は、シート状の基材１１０（２１０）に抗菌加工が施されている。すなわち、収納ケース１００（２００）では、より清潔にマスク等を保管することができる。
【００６２】
以上、本考案の実施形態を詳述したが、本考案は上記実施形態に限定されるものではない。そして、本考案は、実用新案登録請求の範囲に記載された事項を逸脱することがなければ、種々の設計変更を行うことが可能である。
【００６３】
例えば、本実施形態に係る収納ケース１００（２００）では、表面部右辺６Ｂが表面部左辺６Ａより短い実施形態を示したが、これに限定されるものではなく、表面部左辺が表面部右辺より短いものであってもよい。
【００６４】
また、例えば、本実施形態に係る収納ケース１００では、表面部左辺６Ａが背面部両端辺７の四分の三よりも長く、表面部右辺６Ｂが背面部両端辺７の三分の二よりも短い実施形態を、また、本実施形態に係る収納ケース２００では、表面部左辺６Ａが背面部両端辺７の三分の二よりも長く、表面部右辺６Ｂが背面部両端辺７の半分よりも短い実施形態を示したが、これに限定されるものではなく、背面部両端辺に対する表面部両端辺の長さの比率は任意である。
【００６５】
さらに、例えば、本実施形態に係る収納ケース１００（２００）では、表面部開口辺９が弧状に形成された実施形態を示したが、これに限定されるものではなく、表面部開口辺が直線で形成されていてもよい。
【００６６】
また、例えば、本実施形態に係る収納ケース１００では、表面部開口辺９の左右両端において、一対の切り欠き１０が形成された実施形態を示したが、これに限定されるものではなく、切り欠きが表面部開口辺の左右両端のうちのいずれか一方に形成されているものであってもよい。また、本実施形態に係る収納ケース２００において、表面部開口辺９の左右両端の双方またはいずれか一方に切り欠きが形成されていてもよい。
【００６７】
さらに、例えば、本実施形態に係る収納ケース１００（２００）では、シート状の基材１１０（２１０）に抗菌加工が施されている実施形態を示したが、これに限定されるものではなく、シート状の基材に抗菌加工が施されていない収納ケースであってもよい。
【００６８】
また、例えば、本実施形態に係る収納ケース１００（２００）では、ポリプロピレン等を材料とする合成樹脂製のシート、石灰石を主原料とする複合材料からなるシート、または、紙製のシート等の基材を用いる実施形態を示したが、これに限定されるものではなく、シート状に成形された後に一定の保形性を保つことができる基材であれば、種々の材料からなる基材を用いることができる。
【００６９】
さらに、例えば、本実施形態に係る収納ケース２００では、糊代片１４が形成された実施形態を示したが、収納ケース１００に糊代片が形成されていてもよい。
【００７０】
また、本実施形態に係る収納ケース１００（２００）では、スリット部８の係止片８Ａに、蓋部５が係止される実施形態を示したが、これに限定されるものではなく、表面部４に蓋部５を容易に係止することができる構成であれば、種々の構成とすることができる。例えば、表面部４においてスリット部を左右方向に伸びる直線の切り込みとして形成すると共に、蓋部５においてこのスリット部に差し込み可能な切り替えし片、または、突起状の差込片等を形成したものであってもよい。
【符号の説明】
【００７１】
１００  収納ケース
１１０  基材
２００  収納ケース
２１０  基材
１      第一の折り目
２      第二の折り目
３      背面部
４      表面部
５      蓋部
６      表面部両端辺
６Ａ    表面部左辺
６Ｂ    表面部右辺
７      背面部両端辺
８      スリット部
８Ａ    係止片
９      表面部開口辺
１０    切り欠き
１１    開口部
１２    ノッチ部
１３    接着部
１４    糊代片
１４Ａ  左糊代片
１４Ｂ  右糊代片
１５    収納部
【図１】
0003228792.tif 000003
【図２】
0003228792.tif 000004
【図３】
0003228792.tif 000005
【図４】
0003228792.tif 000006
【図５】
0003228792.tif 000007
【図６】
0003228792.tif 000008
【図７】
0003228792.tif 000009
【図８】
0003228792.tif 000010